(57)【特許請求の範囲】
【請求項１】
発電装置（２１）が発生させた電力を計画パターンに従って複数の蓄エネルギー装置（２３，２８，２９）に蓄えさせるエネルギー管理システム（４０）であって、
複数の前記計画パターンを作成する計画パターン作成部（４４）と、
前記計画パターン作成部で作成された複数の前記計画パターンの中から所定の前記計画パターンを選択する計画パターン選択部（４５）と、
前記計画パターン選択部で選択された前記計画パターンをユーザに提示する提示部（４２ａ）と、
前記計画パターンを修正する計画パターン修正部（４６）と、
ユーザの操作を受け付ける操作部（４２ｂ）と、を備え、
前記計画パターン選択部は、複数の前記計画パターンを選択して計画パターン群を作成し、
前記提示部は、前記計画パターン群の中から一の前記計画パターンを提示し、
前記操作部は、前記提示部が提示した一の前記計画パターンの実行に対する拒否操作と、一の前記計画パターンの一部のみの修正を前記計画パターン修正部に指示する修正操作と、を受け付け可能であり、
さらに、前記提示部は、提示した一の前記計画パターンの実行に対し前記拒否操作がなされた場合は、前記計画パターン群の中から他の前記計画パターンを提示する一方で、提示した一の前記計画パターンに対し前記修正操作がなされた場合は、前記計画パターン修正部によって修正された該一の前記計画パターンを提示することを特徴とするエネルギー管理システム。
【請求項２】
前記提示部は、予め定められた優先順位に従って前記計画パターン群の中から順次前記計画パターンを提示することを特徴とする請求項１に記載のエネルギー管理システム。
【請求項３】
前記提示部は、修正された一の前記計画パターンとともに、該計画パターンを実行した場合に電気事業者に支払う必要がある電気料金を提示することを特徴とする請求項１に記載のエネルギー管理システム。
【請求項４】
前記蓄エネルギー装置は、電力により水を加熱して貯留する給湯器（２８）を含むことを特徴とする請求項１乃至３のいずれか１項に記載のエネルギー管理システム。
【発明の詳細な説明】
【技術分野】
【０００１】
本発明は、発電装置が発生させた電力を計画パターンに従って複数の蓄エネルギー装置に蓄えさせるエネルギー管理システムに関する。
【背景技術】
【０００２】
近年、太陽光パネルや燃料電池の各家庭への普及が進んでいる。それに伴い、発生させた電力を各家庭において効率良く活用するために管理を行うエネルギー管理システムの開発が活発となっている。
【０００３】
例えば、下記特許文献１には、太陽光発電システムや燃料電池の他に蓄電池を各家庭に設置し、これらを統合制御することによって効率化を図るエネルギー管理システムが開示されている。当該エネルギー管理システムでは、各家庭のエネルギーの需要量と供給量を予測するとともに、蓄電池の充放電計画や、燃料電池の発電計画等からなる計画パターンを計算する。当該エネルギー管理システムは、その計画パターンに従って各機器を制御することにより、各家庭におけるエネルギー収支の最適化を図ることが可能とされている。
【０００４】
また、下記特許文献１に記載のエネルギー管理システムでは、ユーザインターフェイスとして、計画パターンをユーザに提示するための表示器を備えている。ユーザは、表示器の表示を見て計画パターンを確認したり、表示された計画パターンの実行の承諾または拒否を選択したりすることができる。これにより計画パターンの実行にユーザの意思を反映させることができる。
【先行技術文献】
【特許文献】
【０００５】
【特許文献１】特開２０１４−５０２７５号公報
【発明の概要】
【発明が解決しようとする課題】
【０００６】
上記特許文献１に記載のエネルギー管理システムでは、表示された計画パターンがユーザに不都合なものである場合などに、計画パターンの再計算を求めることが可能とされている。しかしながら、当該エネルギー管理システムでは、再計算に必要となる情報を取得するために、ユーザインターフェイスを操作してその情報を入力する手間をユーザに強いるものであり、使用勝手の悪いものとなっていた。
【０００７】
また、表示された計画パターンの一部のみが不都合なものである場合でも、当該計画パターンの全てが不都合なものである場合と同様に、再計算に必要となる情報の入力をユーザに要求すると、ユーザの都合に適した計画パターンが表示されるまでにさらに多くの手間を要することとなり、使用勝手がさらに悪いものとなるおそれがある。
【０００８】
本発明はこのような課題に鑑みてなされたものであり、その目的は、ユーザの意思を容易に計画パターンに反映させることが可能なエネルギー管理システムを提供することにある。
【課題を解決するための手段】
【０００９】
上記課題を解決するために、本発明に係るエネルギー管理システムは、発電装置（２１）が発生させた電力を計画パターンに従って複数の蓄エネルギー装置（２３，２８，２９）に蓄えさせるエネルギー管理システム（４０）であって、複数の計画パターンを作成する計画パターン作成部（４４）と、計画パターン作成部で作成された複数の計画パターンの中から所定の計画パターンを選択する計画パターン選択部（４５）と、計画パターン選択部で選択された計画パターンをユーザに提示する提示部（４２ａ）と、計画パターンを修正する計画パターン修正部（４６）と、ユーザの操作を受け付ける操作部（４２ｂ）と、を備える。計画パターン選択部は、複数の計画パターンを選択して計画パターン群を作成する。提示部は、計画パターン群の中から一の計画パターンを提示する。操作部は、提示部が提示した一の計画パターンの実行に対する拒否操作と、一の計画パターンの一部のみの修正を計画パターン修正部に指示する修正操作と、を受け付け可能である。さらに、提示部は、提示した一の計画パターンの実行に対し拒否操作がなされた場合は、計画パターン群の中から他の計画パターンを提示する一方で、提示した一の計画パターンに対し修正操作がなされた場合は、計画パターン修正部によって修正された該一の計画パターンを提示する。
【００１０】
本発明では、提示部は、まず、計画パターン群の中から一の計画パターンをユーザに提示する。提示した計画パターンがユーザにとって不都合なものである場合、ユーザは、操作部を操作することにより、当該計画パターンの実行を拒否することができる。
【００１１】
提示した計画パターンの実行に対し拒否操作がなされた場合、提示部は、次に計画パターン群の中から他の計画パターンをユーザに提示する。すなわち、ユーザは、他の計画パターンの提示を求めるにあたり、新たな情報を入力する手間を要求されることがなく、提示された計画パターンの実行に対し拒否操作を行えばよい。これにより、ユーザの意思を容易に計画パターンに反映することができる。
【００１２】
一方、提示した一の計画パターンに対し修正操作がなされた場合、提示部は、計画パターン修正部によって修正された一の計画パターンを提示する。当該修正操作は、一の計画パターンの一部のみの修正を計画パターン修正部に指示するものである。すなわち、ユーザは、提示された一の計画パターンの一部のみが不都合なものである場合に、他の計画パターンの提示を求めるにあたり、当該一の計画パターンの一部のみの修正に必要となる情報を入力すればよい。これにより、提示された一の計画パターンの修正のために、ユーザが新たな情報を入力する手間を軽減することが可能となる。
【発明の効果】
【００１３】
本発明によれば、ユーザの意思を容易に計画パターンに反映させることが可能なエネルギー管理システムを提供する。
【図面の簡単な説明】
【００１４】
【図１】本発明の実施形態に係るエネルギー管理システムの適用例を示す図である。
【図２】計画パターンの作成における処理の流れを示すフローチャートである。
【図３】季節条件を示す表である。
【図４】天気条件を示す表である。
【図５】曜日条件を示す表である。
【図６】各条件と計画パターン指標との対照表である。
【図７】計画パターンの選択、修正及び実行における処理の流れを示すフローチャートである。
【図８】各条件の信頼性の順序を示す表である。
【図９】計画パターン群を示す表である。
【図１０】計画パターンの一例を示すタイムチャートである。
【図１１】修正された計画パターンの一例を示すタイムチャートである。
【発明を実施するための形態】
【００１５】
以下、添付図面を参照しながら本発明の実施形態について説明する。説明の理解を容易にするため、各図面において同一の構成要素に対しては可能な限り同一の符号を付して、重複する説明は省略する。
【００１６】
まず、図１を参照しながら、本発明の実施形態に係るエネルギー管理システム４０が管理対象とするユーザ宅２０について説明する。
【００１７】
ユーザ宅２０には、太陽光発電装置２１が設置されている。具体的には、太陽光発電装置２１は、ユーザ宅２０の屋上に設置された太陽光パネル（不図示）において、太陽光のエネルギーを直接電力に変換することにより発電を行うものである。
【００１８】
尚、ここでは発電装置として太陽光発電装置２１を例に用いて説明するが、本発明はこれに限定されるものではない。すなわち、発電装置として、都市ガスを用いて電力を発生させる燃料電池を採用することも可能である。
【００１９】
パワーコンディショニングシステム（ＰＣＳ）２２は、太陽光発電装置２１が発生させた電力をユーザ宅２０内で使用可能とするための電力変換器である。詳細には、ＰＣＳ２２は、太陽光発電装置２１が発生させた直流電力を交流電力に変換する。
【００２０】
分電盤２４は、ＰＣＳ２２と電気的に接続され、太陽光発電装置２１からＰＣＳ２２を介して電力が供給される。また、分電盤２４は、ユーザが電気料金を支払うことで電気事業者から電力の供給を受ける系統２７とも電気的に接続されている。分電盤２４は、太陽光発電装置２１及び系統２７から供給される電力の分配を行う。
【００２１】
また、分電盤２４は、太陽光発電装置２１から供給される電力、系統２７から供給される電力、後述する蓄電池２３及び電気自動車２９が充放電する電力や、分電盤２４自身が分配した電力に関するデータを測定する測定装置としても機能する。さらに、分電盤２４は、それらの測定データの時間変化を記録する記録装置としての機能や、後述するＨＥＭＳ装置４２と通信を行う通信装置としての機能も有している。
【００２２】
分電盤２４において分配された電力は、ユーザ宅２０内に設置された冷蔵庫や照明等の家電機器２６の他、蓄エネルギー装置である蓄電池２３、給湯器２８及び電気自動車２９に分配される。
【００２３】
蓄電池２３は、分電盤２４から供給される電力を電気エネルギーとして蓄えることで、充放電可能な二次電池である。蓄電池２３が放出する電力は、分電盤２４により分配され、家電機器２６、給湯器２８及び蓄電池２３の少なくとも１つに供給される。
【００２４】
充電スタンド２５は、ユーザ宅２０の車庫等に設置され、停車中の電気自動車２９に対し電力を供給し、電気エネルギーとして蓄えさせる装置である。詳細には、充電スタンド２５は、ケーブル及びプラグにより電気自動車２９と電気的に接続されるとともに、電気自動車２９に搭載された二次電池に電力を供給し、その二次電池に充電させるものである。当該二次電池に蓄えられた電力は、電気自動車２９の走行に利用することが可能である他、分電盤２４を介して家電機器２６に供給することが可能である。以下、電気自動車２９に搭載された二次電池に充電することを、単に「電気自動車２９に充電する」のように称することがある。
【００２５】
給湯器２８は、分電盤２４から供給される電力を用いて水を加熱し、生成した湯の貯留を行う電気式給湯器である。すなわち、給湯器２８は、貯留された湯の増量（湯増し）を行うことで、供給される電力を熱エネルギーに変換して蓄える蓄エネルギー装置ということができる。給湯器２８が貯留する湯は、ユーザ宅２０における入浴や調理等に利用することが可能である。
【００２６】
エネルギー管理システム４０は、以上のようなユーザ宅２０において、電力を効率良く活用するために各機器の運転を管理する。エネルギー管理システム４０は、システム本体４１及びＨＥＭＳ装置４２を備えている。システム本体４１はユーザ宅２０外に設置される一方、ＨＥＭＳ装置４２はユーザ宅２０内に設置される。
【００２７】
ＨＥＭＳ装置４２は、例えばパネル状に形成され、ユーザ宅２０の居室の壁面に設置される。ＨＥＭＳ装置４２は、ユーザ宅２０の蓄電池２３、分電盤２４、充電スタンド２５及び給湯器２８と通信線を介して接続され、双方向の通信が可能とされている。ＨＥＭＳ装置４２は、蓄電池２３、分電盤２４、充電スタンド２５及び給湯器２８を統合制御する制御装置としての機能を有している。
【００２８】
また、ＨＥＭＳ装置４２は、分電盤２４と通信を行うことで、分電盤２４によって測定及び記録されたデータの提供を受けることができる。さらに、ＨＥＭＳ装置４２は、蓄電池２３、充電スタンド２５及び給湯器２８と通信を行うことで、各機器の運転状態に関するデータの提供を受けることができる。ＨＥＭＳ装置４２は、このようにして提供された各種データを、ネットワーク３０を介してシステム本体４１に送信する通信装置としても機能する。
【００２９】
ＨＥＭＳ装置４２は、提示部４２ａ及び操作部４２ｂを有している。提示部４２ａ及び操作部４２ｂは、ＨＥＭＳ装置４２に設けられたユーザインターフェイスである。具体的には、提示部４２ａは任意の情報を表示可能な液晶パネルである。当該液晶パネルは、静電容量方式のタッチパネルでもある。操作部４２ｂは、当該液晶パネルに表示され、ユーザの入力操作を受け付ける操作ボタンである。
【００３０】
ユーザは、提示部４２ａに表示された情報により、蓄電池２３、充電スタンド２５及び給湯器２８の運転状態や、各機器を制御するための計画パターンの提示を受ける。また、ユーザは、操作部４２ｂを操作することにより、蓄電池２３、充電スタンド２５及び給湯器２８に制御信号を送信し、ユーザが所望するように各機器を遠隔操作することができる。
【００３１】
システム本体４１は、ユーザ宅２０外の所定の場所に設置され、データ収集部４３と、計画パターン作成部４４と、計画パターン選択部４５と、計画パターン修正部４６と、制御部４７と、計画データベース４８と、実績データベース４９と、を有している。
【００３２】
データ収集部４３は、ネットワーク３０を介してＨＥＭＳ装置４２から送信されてくるデータや、ネットワーク３０から入手できる天気予報データを収集する機能部である。また、データ収集部４３が収集した各データは、所定の加工がなされた後、記憶装置である実績データベース４９に送信され、過去の実績データとして登録される。
【００３３】
計画パターン作成部４４は、実績データベース４９に保存されている実績データに基づいて、蓄電池２３、充電スタンド２５及び給湯器２８を制御するための計画パターンを作成する機能部である。後述するように、計画パターン作成部４４は、複数の計画パターンを作成し、それらを記憶装置である計画データベース４８に送信して登録する。
【００３４】
計画パターン選択部４５は、計画データベース４８に登録されている複数の計画パターンの中から、所定の計画パターンを選択する機能部である。後述するように、この計画パターンの選択は、蓄電池２３、充電スタンド２５及び給湯器２８の運転の管理を行う対象日に関する諸条件に基づいて行われる。
【００３５】
計画パターン修正部４６は、提示部４２ａがユーザに提示した計画パターンの修正を行う部分である。後述するように、この計画パターンの修正は、ユーザが操作部４２ｂにおいて行う修正操作に基づいて行われる。
【００３６】
制御部４７は、計画パターンに従って、蓄電池２３、充電スタンド２５及び給湯器２８に制御信号を送信する制御装置である。当該制御信号は、制御部４７からネットワーク３０を介してＨＥＭＳ装置４２に送信され、更に、ＨＥＭＳ装置４２から各機器に送信される。すなわち、制御部４７によって各機器を制御する際は、ＨＥＭＳ装置４２はその両者を媒介して制御信号の伝達を行う。また、制御部４７は、データ収集部４３、計画パターン作成部４４、計画パターン選択部４５、計画パターン修正部４６を制御する。
【００３７】
また、制御部４７は、実行しようとする計画パターン１つを、ＨＥＭＳ装置４２の提示部４２ａに表示させ、ユーザに提示させる。
【００３８】
ここで、例えば、提示された計画パターンにおいて、ユーザが電気自動車２９の使用を所望する時間帯（すなわち、電気自動車２９を充電スタンド２５で充電できない時間帯）に充電が計画されている場合など、当該計画パターンがユーザにとって不都合な場合がある。この場合、ユーザは、操作部４２ｂを操作することで、提示された計画パターンの実行に対して拒否の意思表示をすることができる。
【００３９】
操作部４２ｂにおいてこのような拒否操作がなされた場合、制御部４７は、他の計画パターンの１つを提示部４２ａに表示させ、ユーザに提示する。ユーザは、自身の都合に適した計画パターンが提示されるまで拒否操作を繰り返す。そして、ユーザの都合に適した計画パターンが提示部４２ａに提示された場合、ユーザは操作部４２ｂにおいて承諾操作を行うことで、当該計画パターンの実行を承諾することができる。
【００４０】
また、提示された計画パターンの一部がユーザにとって不都合であるものの、他部についは不都合が無い場合もある。例えば、前述したように、提示された計画パターンではユーザが電気自動車２９の使用を所望する時間帯に充電が計画されているものの、蓄電池２３の充電や給湯器２８の湯増しを行う時間帯はユーザにとって不都合が無い場合である。この場合、ユーザは、操作部４２ｂを操作することで、提示された計画パターンの一部のみの修正を行うことができる。すなわち、ユーザが使用を所望する時間帯とは異なる時間帯に電気自動車２９の充電を行うように、電気自動車２９の充電計画を修正することができる。
【００４１】
操作部４２ｂにおいてこのような修正操作がなされた場合、制御部４７は、計画パターン修正部４６に計画パターンを修正させる。すなわち、ユーザが使用を所望する時間帯とは異なる時間帯に電気自動車２９の充電を行うように、提示した計画パターンのうち電気自動車２９の充電計画を修正する。さらに、修正した電気自動車２９の充電計画のもと、ユーザが電気事業者に支払う必要がある電気料金を最小化するように、蓄電池２３の充電や給湯器２８の湯増しを行う計画を修正する。
【００４２】
制御部４７は、このように計画パターン修正部４６に修正させた計画パターンと、当該計画パターンを実行した場合の電気料金を提示部４２ａに表示させ、ユーザに提示する。ユーザは、提示部４２ａの表示を見て、修正された計画パターンや電気料金を確認する。そして、それらがユーザ自身の都合に適したものに修正されている場合は、ユーザは操作部４２ｂにおいて承諾操作を行うことで、当該計画パターンの実行を承諾することができる。
【００４３】
制御部４７は、ユーザによって承諾された計画パターンに従って、制御信号を送信する。ネットワーク３０及びＨＥＭＳ装置４２を介して当該制御信号を受信する蓄電池２３、充電スタンド２５及び給湯器２８は、当該制御信号に基づいて、充放電又は湯増しを行う。
【００４４】
次に、図２乃至図６を参照しながら、本発明の実施形態に係るエネルギー管理システム４０による計画パターンの作成について説明する。
【００４５】
前述したように、計画パターン作成部４４は、実績データベース４９に保存されている実績データに基づいて、蓄電池２３、充電スタンド２５及び給湯器２８を制御するための計画パターンを作成する。図２は、この計画パターン作成部４４における処理のフローを示したものである。
【００４６】
計画パターン作成部４４は、まず、対象日の環境情報をネットワーク３０から取得する。ここでいう対象日とは、蓄電池２３、充電スタンド２５及び給湯器２８の実績データに基づいて計画パターンを作成するためのサンプルとなる日をいう。また、ここでいう環境情報とは、対象日の天気予報データ及び曜日（七曜）データである。
【００４７】
次に、計画パターン作成部４４は、ステップＳ２２で、対象日の計画パターン指標αを特定する。以下、この計画パターン指標αの特定について詳述する。
【００４８】
計画パターン作成部４４は、対象日の日付を、図３に示される季節条件の表と対照し、対象日の季節条件を「春」、「夏」、「秋」、「冬」にいずれかに設定する。例えば、対象日が３月１０日である場合には、対象日の季節条件は「春」に設定される。この季節条件の表では、１年間を８つに区分した各期間において、「春」、「夏」、「秋」、「冬」に優先順位を設定しているが、ここでは、優先順位が最も高い季節に設定する。
【００４９】
また、計画パターン作成部４４は、対象日の天気予報データを、図４に示される天気条件の表と対照し、対象日の天気条件を「快晴」、「晴れ」、「曇り」、「雨」のいずれかに設定する。例えば、対象日である３月１０日の天気予報データが「晴れ」である場合には、対象日の天気条件は「晴れ」に設定される。この天気条件の表では、天気を４つに区分した各区分において、「快晴」、「晴れ」、「曇り」、「雨」に優先順位を設定しているが、ここでは、優先順位が最も高い天気に設定する。
【００５０】
また、計画パターン作成部４４は、対象日の曜日データを、図５に示される曜日条件の表と対照し、対象日の曜日条件を「平日」（月曜日から金曜日）、「土曜」、「祝日・日曜」のいずれかに当てはめる。これは、一般的に、ユーザの行動パターンは「平日」、「土曜」又は「祝日・日曜」で大まかに分類可能であり、ユーザによる電力の使用パターンも、その分類ごとに異なるためである。すなわち、曜日データに基づいて、ユーザの行動を大まかに予測することができる。例えば、とあるユーザ宅２０では、「平日」は「土曜」及び「祝日・日曜」に比べて電気自動車２９が昼間に使用される可能性は低いと予想できれば、計画パターン作成部４４は昼間に電気自動車２９に充電する計画パターンを作成することができる。
【００５１】
対象日が平日の祝日である場合には、「祝日・日曜」に当てはめる。そして、当てはめた区分に従って、対象日の曜日条件を「出勤日」、「休日」のいずれかに設定する。例えば、対象日である３月１０日が月曜日である場合には、対象日の曜日条件は「出勤日」に設定される。曜日条件の表では、曜日を３つに区分した各区分において、「出勤日」、「休日」に優先順位を設定しているが、ここでは、優先順位が高い天気に区分する。
【００５２】
さらに、計画パターン作成部４４は、以上のように設定された季節条件、天気条件及び曜日条件の組み合わせを、図６に示される計画パターン指標αの表に当てはめる。そして、当てはめた区分に従って、対象日の計画パターン指標αが１乃至３２のいずれに該当するかを特定する。例えば、対象日が３月１０日である場合には、前述したように、季節条件に「春」、天気条件に「晴れ」、曜日条件に「出勤日」がそれぞれ設定されているため、この表に基づいて、計画パターン指標αとして「２」が特定される。
【００５３】
図２に戻り、計画パターンの作成に関して説明を続ける。計画パターン作成部４４は、次に、ステップＳ２３で、対象日の１日分のエネルギー使用実績データを取得する。例えば、対象日が３月１０日である場合には、当日に太陽光発電装置２１が発生させた電力、蓄電池２３及び電気自動車２９における充放電、及び、給湯器２８に蓄えられるエネルギーに関する実績データを、実績データベース４９から取得する。
【００５４】
次に、計画パターン作成部４４は、ステップＳ２４で、計画パターン指標αに対応する計画パターンが、計画データベース４８に既に登録されているか否かを判定する。前述した、対象日が３月１０日の場合を例にとると、計画パターン指標αが「２」に相当する季節条件が「春」、天気条件が「晴れ」、曜日条件が「出勤日」の計画パターンが、計画データベース４８に既に登録されているか否かを判定する。
【００５５】
計画パターン指標αに対応する計画パターンが計画データベース４８に既に登録されていると判定された場合（Ｓ２４：Ｙｅｓ）、計画パターン作成部４４は、ステップＳ２５で、当該計画パターンの修正を行う。すなわち、計画パターンの妥当性を高めるため、最新の実績データに基づいて、既に登録されている計画パターンの修正を行う。
【００５６】
次に、計画パターン作成部４４は、ステップＳ２７で、その修正した計画パターンを計画データベース４８に登録する。計画データベース４８では、先に登録されていた計画パターン指標αに対応する計画パターンが、同じく計画パターン指標αに対応する計画パターンであって修正後のものに書き換えられて登録される。
【００５７】
一方、計画パターン指標αに対応する計画パターンが計画データベース４８に登録されていないと判定された場合（Ｓ２４：Ｎｏ）、計画パターン作成部４４は、対象日の実績データを、計画パターン指標αに対応する計画パターンとして設定する。そして、計画パターン作成部４４は、ステップＳ２７で、その作成した計画パターンを計画データベース４８に登録する。
【００５８】
次に、図７乃至図１１を参照しながら、本発明の実施形態に係るエネルギー管理システム４０による計画パターンの選択、修正及び実行について説明する。
【００５９】
前述したように、計画パターン選択部４５は、計画データベース４８に登録されている複数の計画パターンの中から、所定の計画パターンを選択する。また、制御部４７は、その選択された計画パターンに従って、蓄電池２３、充電スタンド２５及び給湯器２８に制御信号を送信する。
【００６０】
図７は、制御部４７における処理の流れを示している。制御部４７は、ステップＳ７１で、計画パターン選択部４５に対象日の環境情報をネットワーク３０から取得させる。ここでいう対象日とは、計画パターンに従って蓄電池２３、充電スタンド２５及び給湯器２８の制御を行おうとする日をいう。また、ここでいう環境情報とは、対象日の天気予報データ及び曜日（七曜）データである。
【００６１】
次に、計画パターン選択部４５は、ステップＳ７２で、計画パターン選択部４５に計画パターン群を作成させる。以下、この計画パターン群の作成について詳述する。
【００６２】
計画パターン選択部４５は、ステップＳ７１で取得した環境情報に基づいて、前述した計画パターン作成の際と同様に、蓄電池２３等の制御を行おうとする対象日の計画パターン指標αを３つ特定する。例えば、対象日が３月１０日である場合には、前述したように、季節条件に「春」、天気条件に「晴れ」、曜日条件に「出勤日」がそれぞれ設定されているため、計画パターン指標αの表に基づいて、まず第１の計画パターン指標αとして「２」が特定される。
【００６３】
次に、計画パターン選択部４５は、計画パターン指標αを特定するために設定した条件を若干変更することで、第２及び第３の計画パターン指標αを特定する。
【００６４】
ここでは、図８に示される各条件とその信頼性の表に基づいて、各条件の設定を適宜変更する。詳細には、季節条件、天気条件及び曜日条件には、図８に示されるようにそれぞれ「低」、「中」、「高」の３段階の信頼性が予め設定されている。計画パターン選択部４５は、第２及び第３の計画パターン指標αを特定するにあたり、第１の計画パターン指標αの季節条件、天気条件及び曜日条件のうち、信頼性の低い季節条件から設定を変更することで、第２及び第３の計画パターン指標αを特定する。
【００６５】
例えば、対象日が３月１０日である場合には、前述したように、季節条件に「春」、天気条件に「晴れ」、曜日条件に「出勤日」がそれぞれ設定されている。計画パターン選択部４５は、第２の計画パターン指標αを特定するために、この中で最も信頼性の低い季節条件の設定を、「春」から、「春」の次に優先順位が高い「冬」に変更する。ここで、優先順位とは、図３に示されている季節条件の表で設定されているものである。
【００６６】
この場合、季節条件に「冬」、天気条件に「晴れ」、曜日条件に「出勤日」がそれぞれ設定されることとなる。計画パターン選択部４５は、以上のように設定された季節条件、天気条件及び曜日条件の組み合わせを、図６に示される計画パターン指標の表に当てはめ、第２の計画パターン指標αとして「２６」を特定する。
【００６７】
また、計画パターン選択部４５は、第３の計画パターン指標αを特定するために、季節条件の次に信頼性が低い天気条件の設定を、「晴れ」から、「晴れ」の次に優先順位が高い「曇り」に変更する。ここで、優先順位とは、図４に示されている天気条件の表で設定されているものである。
【００６８】
この場合、季節条件に「春」、天気条件に「曇り」、曜日条件に「出勤日」がそれぞれ設定されることとなる。計画パターン選択部４５は、以上のように設定された季節条件、天気条件及び曜日条件の組み合わせを、図６に示される計画パターン指標の表に当てはめ、第３の計画パターン指標αとして「３」を特定する。
【００６９】
以上のようにして、計画パターン選択部４５によって第１乃至第３の計画パターン指標αが特定されることにより、図９に示されるように、３つの計画パターンからなる計画パターン群が作成される。当該計画パターン群を構成する３つの計画パターンの中では、「２」が特定されている第１の計画パターン指標αが最も信頼性が高く、「３」が特定されている第３の計画パターン指標αが最も信頼性が低いものとして設定されている。
【００７０】
図７に戻り、計画パターンの選択、修正及び実行に関して説明を続ける。次に、ステップＳ７３で、制御部４７は、ステップＳ７２で作成した計画パターン群の中から、最も信頼性の高い計画パターンを提示部４２ａに提示させる。対象日が３月１０日である場合を例にとると、制御部４７は、図９に示される計画パターン群の中から、最も信頼性が高い第１の計画パターン指標αに対応する計画パターンを、ＨＥＭＳ装置４２の提示部４２ａに表示することで、ユーザに提示する。
【００７１】
提示部４２ａには、図１０に示されるように、対象日の２４時間に亘る電気自動車２９及び蓄電池２３の充放電の計画と、給湯器２８の湯増しの計画と、からなる計画パターンが表示される。また、電気自動車２９、蓄電池２３及び給湯器２８のそれぞれの計画の下方には、当該計画を実行した際に見込まれる充電量と貯湯量の変化が表示される。さらに、提示部４２ａの下部には、当該計画パターンを実行した際に電気事業者に支払う必要がある電気料金が表示される。
【００７２】
第１の計画パターン指標αに対応する計画パターンでは、図１０に示されるように、日照が期待でき、太陽光発電装置２１において比較的高効率の発電が見込める午前中や昼間に電気自動車２９及び蓄電池２３が充電され、給湯器２８が湯増しを行う。一方、ユーザが多量の電力を使用することが想定される夜間に、蓄電池２３が放電を行うように設定されている。ユーザは、提示部４２ａのこのような表示を見て、エネルギー管理システム４０がこれから実行しようとする計画パターンを確認し、自身の都合に適したものであるか否かを判断することができる。
【００７３】
提示部４２ａで提示された計画パターンは、ユーザにとって不都合なものである場合がある。図１０に示される計画パターンを例にとって説明すると、当日、電気自動車２９の充電が計画されている時間帯（１６時〜１８時）にユーザが電気自動車２９を使用して外出する予定があったり、給湯器２８の湯増しが計画されている時間帯（９時〜１２時）にユーザが入浴する予定があったりする場合等である。この場合、ユーザは、操作部４２ｂを操作することで、提示された計画パターンの実行に対して拒否の意思表示をすることができる。
【００７４】
制御部４７は、ステップＳ７４で、ユーザの意思を判定する。すなわち、提示部４２ａが提示した計画パターンに対し、ユーザが操作部４２ｂにおいて拒否操作、承諾操作、修正操作のいずれを行ったかを判定する。そして、操作部４２ｂにおいて承諾操作がなされたと判定した場合（Ｓ７４：承諾）、次のステップＳ７７で、提示部４２ａが提示した計画パターンを実行する。尚、操作部４２ｂにおいて承諾操作がなされた場合の他にも、操作部４２ｂにおいて一定時間操作がなされなかった場合にも、提示した計画パターンを実行するように設定することもできる。
【００７５】
一方、操作部４２ｂにおいて拒否操作がなされたと判定した場合（Ｓ７４：拒否）、制御部４７は、それまで提示部４２ａに提示させていた第１の計画パターン指標αに対応する計画パターンに代えて、新たな計画パターンを提示させる。ここでいう新たな計画パターンとは、図９に示される計画パターン群の中で、第１の計画パターン指標αに対応する計画パターンの次に信頼性が高い（信頼性：中）、第２の計画パターン指標αに対応する計画パターンである。
【００７６】
操作部４２ｂにおいて拒否操作を行ったユーザは、提示部４２ａが提示した新たな計画パターンを確認するとともに、それが自身の都合に適したものであるか否かを判断することができる。そして、提示部４２ａが提示した新たな計画パターンの実行に対し、ユーザが操作部４２ｂにおいて承諾操作を行った場合（Ｓ７４：承諾）、制御部４７は、次のステップＳ７７で、ＨＥＭＳ装置４２に制御信号を送信して当該計画パターンを実行する。
【００７７】
一方、提示部４２ａが提示した新たな計画パターンの実行に対し、ユーザが操作部４２ｂにおいて拒否操作を行ったと判定した場合（Ｓ７４：拒否）、制御部４７は、それまで提示部４２ａが提示していた第２の計画パターン指標αに対応する計画パターンに代えて、新たな計画パターンを提示させる。ここでいう新たな計画パターンとは、図９に示される計画パターン群の中で、第２の計画パターン指標αに対応する計画パターンの次に信頼性が高い（信頼性：低）、第３の計画パターン指標αに対応する計画パターンである。
【００７８】
その後、前述したように、ユーザは提示部４２ａで再度新たな計画パターンを確認するとともに、その実行に対して承諾又は拒否の意思表示をすることができる。
【００７９】
この他、提示部４２ａが提示した計画パターンがユーザにとって不都合なものである場合として、当該計画パターンの一部がユーザにとって不都合であるものの、他部については不都合が無い場合がある。図１０に示される計画パターンを例にとって説明すると、当日、電気自動車２９の充電が計画されている時間帯にユーザが電気自動車２９を使用して外出する予定があるものの、蓄電池２３の充放電の計画や給湯器２８の湯増しの計画はユーザにとって不都合が無い場合である。
【００８０】
この場合、ユーザは、操作部４２ｂを操作することで、提示された計画パターンの修正の意思表示をすることができる。すなわち、ユーザは、外出予定がある時間帯とは異なる時間帯に電気自動車２９の充電を行うよう、操作部４２ｂにおいて修正操作を行うことができる。このとき、ユーザは、蓄電池の充放電や給湯器２８の湯増しに関する計画については、修正操作を行う必要が無い。
【００８１】
操作部４２ｂにおいてこのような修正操作がなされた場合、制御部４７は、計画パターン修正部４６に、提示部４２ａが提示した計画パターンを修正させる。具体的には、制御部４７は、図１１に示されるように、電気自動車２９の充電をユーザの外出予定がある時間帯とは異なる時間帯（１２時３０分〜１４時３０分）に行うように、計画パターン修正部４６に計画パターンを修正させる。また、計画パターン修正部４６は、ユーザが電気事業者に支払う必要がある電気料金を最小化するように、蓄電池２３の充電や給湯器２８の湯増しを行う計画を修正する。提示部４２ａには、ユーザが修正操作を行う度に、修正された計画パターンが表示される。
【００８２】
図７に示されるステップＳ７４で、ユーザによって計画パターンの修正がなされたと判定した場合（Ｓ７４：修正）、制御部４７は、ステップＳ７６の処理に進む。
【００８３】
次に、制御部４７は、ステップＳ７６で、修正した計画パターンを実行した場合に、ユーザが電気事業者に支払う必要がある電気料金を提示部４２ａに提示させる。ユーザは、提示部４２ａによって当該電気料金を確認し、修正した計画パターンの実行の承諾、拒否や、計画パターンの再度の修正を検討する。
【００８４】
次に、制御部４７は、再びステップＳ７４で、ユーザの意思を判定する。提示部４２ａが提示する計画パターンに対して操作部４２ｂにおいて承諾操作がなされたと判定するまで、制御部４７は、以上説明した処理を繰り返し行う。
【００８５】
以上のように、エネルギー管理システム４０では、提示部４２ａは、まず、計画パターン群の中から一の計画パターンをユーザに提示する。提示した計画パターンがユーザにとって不都合なものであった場合、ユーザは、操作部４２ｂを操作することにより当該計画パターンの実行を拒否することができる。
【００８６】
提示した計画パターンの実行に対し、拒否操作がなされた場合、提示部４２ａは、次に計画パターン群の中から他の計画パターンをユーザに提示する。すなわち、ユーザは、他の計画パターンの提示を求めるにあたり、情報を入力する手間を求められることがなく、提示された計画パターンの実行に対し拒否操作を行えばよい。これにより、ユーザの意思を容易に計画パターンに反映することができる。
【００８７】
一方、提示した計画パターンに対し修正操作がなされた場合、提示部４２ａは、計画パターン修正部４６によって修正された計画パターンを提示する。当該修正操作は、計画パターンの一部のみの修正を計画パターン修正部４６に指示するものである。すなわち、ユーザは、提示された計画パターンの一部のみが不都合なものである場合に、他の計画パターンの提示を求めるにあたり、当該計画パターンの一部のみの修正に必要となる情報を入力すればよい。これにより、提示された計画パターンの修正のために、ユーザが新たな情報を入力する手間を軽減することが可能となる。
【００８８】
また、エネルギー管理システム４０では、提示部４２ａは、予め定められた優先順位に従って計画パターン群の中から順次計画パターンをユーザに提示する。これにより、実行をユーザに承諾される（拒否されない）計画パターンから順次提示し、ユーザの拒否操作を少なくすることができる。
【００８９】
また、エネルギー管理システム４０では、提示部４２ａは、修正された計画パターンとともに、当該計画パターンを実行した場合に電気事業者に支払う必要がある電気料金を提示する。これにより、ユーザは、自身の都合と電気料金とのバランスを考慮しながら計画パターンを修正することが可能となる。
【００９０】
また、エネルギー管理システム４０では、太陽光発電装置２１が発生させた電力を蓄える蓄エネルギー装置として、電力により水を加熱して貯留する給湯器２８を含む。つまり、電力を電気エネルギーとして蓄える蓄電池２３及び電気自動車２９に、電力を熱エネルギーとして蓄える給湯器２８を加えることで、多様な計画パターンを作成することが可能となる。
【００９１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置などは、例示したものに限定されるわけではなく適宜変更することができる。
【００９２】
例えば、上記実施形態の説明では、修正対象とする計画パターンの一部として、電気自動車２９の充電計画のみを示したが、本発明はこれに限定されるものではない。すなわち、計画パターンの一部として電気自動車２９の充電計画と併せて蓄電池２３の充放電計画を修正対象とすることができる。つまり、計画パターンの一部として複数の充放電計画や貯湯計画を修正することも可能である。
【符号の説明】
【００９３】
２１  ：太陽光発電装置（発電装置）
２３  ：蓄電池（蓄エネルギー装置）
２８  ：給湯器（蓄エネルギー装置）
２９  ：電気自動車（蓄エネルギー装置）
４０  ：エネルギー管理システム
４２ａ：提示部
４２ｂ：操作部
４４  ：計画パターン作成部
４５  ：計画パターン選択部
４６  ：計画パターン修正部
【図１】
0006344308.tif 000002
【図２】
0006344308.tif 000003
【図３】
0006344308.tif 000004
【図４】
0006344308.tif 000005
【図５】
0006344308.tif 000006
【図６】
0006344308.tif 000007
【図７】
0006344308.tif 000008
【図８】
0006344308.tif 000009
【図９】
0006344308.tif 000010
【図１０】
0006344308.tif 000011
【図１１】
0006344308.tif 000012